(57)【要約】【課題】木材が腐朽しても鋼材が枠体状に残存するので強度性、耐久性に優れており、中詰物の流出を抑制できる。外面は木製であるので景観を損なわない。また、現場でのボルト締め作業が低減したので作業効率に優れている。【解決手段】複数本の鉄筋入り木材２により構成する鉄筋入り木製パネル１は、幅方向両側の下側と上側に間隙７が設けてある。複数枚の鉄筋入り木製パネル１は先端を略Ｌ字状、Ｔ字状或は十字状に突き合わせ、下側連結金具、上側連結金具１０を間隙に嵌合することにより連結してある。下側及び上側の連結金具１０は締結支柱１２で連結することにより、複数枚の鉄筋入り木製パネル１は強固に連結することができる。パネル１を突き合わせた空所にはコンクリートやモルタルを充填して固化することにより更に強度性を高めることができる。【選択図】  図２
2004360376.tif 000002
【特許請求の範囲】
【請求項１】
軸方向両端側の雄ねじ部を外側に突出した状態で木材本体の長手方向に連結ロッドを挿通してなる複数本の鉄筋入り木材と、長手方向に隔設した複数のロッド挿通穴に前記連結ロッドの雄ねじ部側を夫々挿嵌し、ナットを螺合することにより前記複数本の鉄筋入り木材をパネル状に支持する一対の連結体と、該各連結体と鉄筋入り木材の小口との間に形成した間隙とから鉄筋入り木製パネルを構成し、該鉄筋入り木製パネルの複数枚の先端を突き合わせた状態にして下端と上端から各鉄筋入り木製パネルの前記間隙に連結具を嵌合することにより、該複数枚の鉄筋入り木製パネルを一体に連結してなる鉄筋入り木製パネルの構造体。
【請求項２】
前記複数本の鉄筋入り木材に１本以上の木材を平板状に配列し、長手方向にロッド挿通穴を隔設した係合板を該木材及び鉄筋入り木材に一体に係止させることにより、該鉄筋入り木材及び木材をパネル状に一体化したことを特徴とする請求項１記載の鉄筋入り木製パネルの構造体。
【請求項３】
前記鉄筋入り木製パネルの２枚又は３枚の先端を突き合わせることにより形成される開放面は覆い板により閉塞し、内部に空所を形成するようにしたことを特徴とする請求項１記載の鉄筋入り木製パネルの構造体。
【請求項４】
前記係合板は、前記鉄筋入り木材と連結体との間に前記間隙を形成するためのスペーサを兼ねていることを特徴とする請求項２記載の鉄筋入り木製パネルの構造体。
【請求項５】
前記係合板は、前記複数本の鉄筋入り木材及び木材の各々の両端小口に形成した凹溝に嵌合させてあることを特徴とする請求項２記載の鉄筋入り木製パネルの構造体。
【請求項６】
前記連結体は、横断面の縦と横の合計寸法を前記鉄筋入り木材の小口の幅と略等しく設定した金属製角筒からなり、長手方向に離間して複数のロッド挿通穴を形成したものであることを特徴とする請求項１記載の鉄筋入り木製パネルの構造体。
【請求項７】
連結する複数枚の前記鉄筋入り木製パネルの下端側間隙と上端側間隙に夫々嵌合する一対の連結具は締結支柱により連結してあることを特徴とする請求項１記載の鉄筋入り木製パネルの構造体。
【請求項８】
前記連結具は、積重する複数枚の鉄筋入り木製パネルの対向する間隙に嵌合する一対の嵌入部を一体に形成したものであることを特徴とする請求項１記載の鉄筋入り木製パネルの構造体。
【請求項９】
前記複数枚の鉄筋入り木製パネルの先端を突き合わせて形成した空所内にコンクリート又はモルタルを充填固化したことを特徴とする請求項１記載の鉄筋入り木製パネルの構造体。
【発明の詳細な説明】
【０００１】
【発明の属する技術分野】
本発明は、治山ダム、治水ダム、傾斜地の土留め体等に用いて好適な鉄筋入り木製パネルの構造体に関する。
【０００２】
【従来の技術】
従来の治山ダムは、重力式コンクリートダムが一般的である。重力式コンクリートダムは、鉄筋を用いないで、セメント、砂及び骨材により縦断面略台形状の堤体に成形したものである。また、小規模なダムの場合や山間奥地では木製ダムが用いられている。この木製ダムは多数本の木材をボルト・ナットで連結して柵状に形成したものを縦横に連結して多数の枠体を構成することにより堤状に組み立て、各枠体内に砕石、栗石、土砂等の中詰物を充填して構成してある。
【０００３】
【発明が解決しようとする課題】
上述した重力式コンクリートダムは、上流側からの土圧や水圧を重量で受けるために相当程度の大きさに構築しなければならないことから、山間部に大きな構築物を設置することになるし、大量のセメントを必要とするという欠点がある。また、山間部にコンクリート面が剥き出しの状態で設置されるために景観を損なうという批判、小動物の移動や植物の繁殖の妨げになるという欠点がある。そこで、景観を少しでも損なわないための対応策としてコンクリートダムの外面、特に前面と上面に木製パネルを張り付けるといった応急処置が採られているが、後付け作業であるために費用が嵩むという問題がある。
【０００４】
また、木製ダムは景観になじむという長所はあるが、木材は５〜６年後には腐朽が始まり、腐朽し始めると強度性が急速に低下するという欠点及びこのために耐用年数が短いという根本的な欠点がある。そして、最後には木製ダム自体が崩壊し、枠体内に充填してあった中積物が下流に流出するために、場合によっては人災を招くという問題がある。このため、木製ダムは人家や施設のない山間奥地にしか設置できないという欠点と、小規模なダムにしか利用できないという欠点がある。また、木材の組み付けは全て現場で行わなければならないことから、施工期間に日数を要するという欠点もある。特に、水が枯渇したり凍結することにより地盤上に木製枠体を設置し易い厳寒地で枠体を組み立て作業を行う場合、多数のボルト・ナットを締結する作業は寒さで指の動きが悪いために作業員にとっては厳しいものがあるし、作業能率が悪いという問題がある。
【０００５】
本発明は上述した従来技術の諸欠点に鑑みなされたもので、木材が腐朽しても鋼材が枠状に残存するので強度性と耐久性に優れていると共に中積物の流出を抑制することができるし、外面は木製であるので景観を損なうことがない鉄筋入り木製パネルの構造体を提供することができる、しかも、現場では前後、左右、或は上下に隣接するパネルは連結具を上、下から嵌合する作業だけで組み立てることができるのでボルト・ナット締め作業を大幅に低減することができることから作業効率に優れているし、現場での作業量を大幅に削減して施工期間の短縮を図ることができると共に、作業員の負担も軽減することができる鉄筋入り木製パネルの構造体を提供することを目的とする。
【０００６】
【課題を解決するための手段】
上述した課題を解決するために構成された本発明の手段は、軸方向両端側の雄ねじ部を外側に突出した状態で木材本体の長手方向に連結ロッドを挿通してなる複数本の鉄筋入り木材と、長手方向に隔設した複数のロッド挿通穴に前記連結ロッドの雄ねじ部側を夫々挿嵌し、ナットを螺合することにより前記複数本の鉄筋入り木材をパネル状に支持する一対の連結体と、該各連結体と鉄筋入り木材の小口との間に形成した間隙とから鉄筋入り木製パネルを構成し、該鉄筋入り木製パネルの複数枚の先端を突き合わせた状態にして下端と上端から各鉄筋入り木製パネルの間隙に連結具を嵌合することにより、該複数枚の鉄筋入り木製パネルを一体に連結したものからなる。
【０００７】
そして、前記複数本の鉄筋入り木材に１本以上の木材を平板状に配列し、長手方向にロッド挿通穴を隔設した係合板を該木材及び鉄筋入り木材に一体に係止させることにより、該鉄筋入り木材及び木材をパネル状に一体化するとよい。
【０００８】
また、前記鉄筋入り木製パネルの２枚又は３枚の先端を突き合わせることにより形成される開放面は覆い板により閉塞し、内部に空所を形成するとよい。これにより、鉄筋入り木製パネルの角部や突き合わせ部の空所にコンクリートやモルタルを充填して強度性を高めることができるし、景観を損なうことがない。
【０００９】
また、前記係合板は、前記鉄筋入り木材と連結体との間に間隙を形成するためのスペーサーを兼ねたものにするとよい。
【００１０】
また、前記係合板は、前記複数本の鉄筋入り木材及び木材の各々の両端小口に形成した凹溝に嵌合さるとよい。
【００１１】
更に、前記連結体は、横断面の縦と横の合計寸法を前記鉄筋入り木材の小口の幅と略等しく設定した金属製角筒からなり、長手方向に離間して複数のロッド挿通穴を形成したものにするとよい。
【００１２】
更にまた、連結する複数枚の前記鉄筋入り木製パネルの下端側間隙と上端側間隙に嵌合する一対の連結具は、締結支柱により連結する構成にするとよい。
【００１３】
また、前記連結具は、積重する複数枚の鉄筋入り木製パネルの対向する間隙に夫々嵌合する一対の嵌入部を一体に形成したものにするとよい。
【００１４】
また、前記複数枚の鉄筋入り木製パネルの先端を突き合わせて形成した空所内にコンクリート又はモルタルを充填固化したものにするとよい。
【００１５】
【発明の実施の形態】
以下、本発明の実施の形態について詳述する。図１乃至図１５は第１の実施の形態を示す。図において、１、１、・・は鉄筋入り木製パネルを示す。２、２、２は該鉄筋入り木製パネル１を構成する３本の鉄筋入り木材である。３は該各鉄筋入り木材２を構成する木材本体で、該木材本体３は間伐材等の木材を適宜の長さ寸法に裁断した角材からなり、両端小口３Ａ、３Ａに開口するロッド挿装穴３Ｂが長手方向に穿設してある。４は前記ロッド挿装穴３Ｂに挿通した連結ロッドで、該連結ロッド４は軸方向両端側に雄ねじ部４Ａ、４Ａが刻設してあり、該各雄ねじ部４Ａにはナット５を螺合するようにしてある。かくして、鉄筋入り木材２は木材本体３と連結ロッド４とから構成してある。なお、連結ロッド４には全周に雄ねじ部を刻設したロッドを用いてもよい。
【００１６】
６、６は列設した５本の鉄筋入り木材２、２、・・・をパネル状の形態に保持するための一対の連結管で、該各連結管６は一対の横板６Ａ、６Ａと縦板６Ｂ、６Ｂとから横断面長方形の鋼管を用いており、横板６Ａの横幅イと縦板６Ｂの縦幅ロの合計寸法は鉄筋入り木材２の小口３Ａの幅ハと略同一に設定してある。また、長さは列設した鉄筋入り木材２、２、・・・の縦方向寸法と略同一に設定してある。そして、横板６Ａ、６Ａには長手方向に離間してロッド通し穴６Ｃ、６Ｃ、・・・が穿設してあるが、該各ロッド通し穴６Ｃは一方の縦板６Ｂが木材本体３の外面に沿うように幅方向に変位させてある。
【００１７】
７、７は前記各連結管６と木材本体３の小口３Ａとの間の下側及び上側の位置に所定の幅に形成した間隙を示す。該間隙７、７は、連結管６より若干短い長さの鋼板の長手方向に離間してロッド挿入穴８Ａ、８Ａ、・・・を穿設した挟装材８を木材本体３と連結管６との間に介装することにより形成してある。かくして、鉄筋入り木製パネル１は５本の鉄筋入り木材２、２、・・・、一対の連結管６、６及び間隙７、７、・・から構成してあり、一対の連結管６、６は鉄筋入り木材２の対角線上に位置するように変位させて設けてある。
【００１８】
９は複数枚の鉄筋入り木製パネル１をＴ字状、Ｌ字状或は十字状の形態に一体に連結するための下側連結金具で、該下側連結金具９は略正方形の基板９Ａと、該基板９Ａの各外縁から立ち上げ、前記間隙７に嵌入する４枚の挿入片９Ｂ、９Ｂ、・・と、基板９Ａの内面中央に溶接手段により突設した支持ナット９Ｃとから構成してある。
【００１９】
他方、１０は複数枚の鉄筋入り木製パネル１を連結するための上側連結金具で、該上側連結金具１０は略正方形の基板１０Ａと、該基板１０Ａの各外縁から下向きに突設し、間隙７に嵌入する４枚の挿入片１０Ｂ、１０Ｂ、・・と、基板１０Ａの中央に開口形成した支柱挿通穴１０Ｃとから構成してある。
【００２０】
更に、１１は積重した複数枚の鉄筋入り木製パネル１、１、・・を上下に連結するための中間連結金具で、該中間連結金具１１は略正方形の基板１１Ａと、該基板１１Ａの各外縁を囲繞するように上下側に突設し、間隙７、７に嵌入する下側挿入片１１Ｂ、１１Ｂ、・・及び上側挿入片１１Ｃ、１１Ｃ、・・と、前記基板１１Ａの中央に開口形成した支柱挿通穴１１Ｄとから構成してある。
【００２１】
１２、１２は前記下側連結金具９と上側連結金具１０、或は中間連結金具１１と上側連結金具１０を連結するための棒鋼からなる締結支柱で、該締結支柱１２は軸方向下端側に下側雄ねじ部１２Ａ、上端側に上側雄ねじ部１２Ｂが夫々刻設してある。そして、締結支柱１２は下側雄ねじ部１２Ａを下側連結金具９の支持ナット９Ｃに螺入して立設し、上側雄ねじ部１２Ｂを上側連結金具１０の支柱挿通穴１０Ｃに挿通してナット１３を螺合することにより、下側連結金具９と上側連結金具１は鉄筋入り木製パネル１、１、・・を強固に挟持した状態で連結することができる。
【００２２】
また、図１１及び図１２において、１４は２枚の鉄筋入り木製パネル１、１を略Ｌ字状に、或は３枚の鉄筋入り木製パネル１、１、１を略Ｔ字状に突き合わせた場合に形成される開放面を覆うための覆い板を示す。該覆い板１４は鉄筋入り木製パネル１の高さと同じ長さの縦長に形成した板本体１５と、該板本体１５の内面側に配設し、ボルト・ナット１６、１６により締着した連結管１７と、該連結管１７と板本体１５との間の下側と上側に間隙１８を形成すべく挟装した長方形の鋼板からなる挟装材１９とから構成してある。
【００２３】
次に、複数枚の鉄筋入り木製パネル１、１、・・・を用いた構造体としての堤体Ａについて説明する。先ず、鉄筋入り木製パネル１は予め工場で組み立てておく。現場では鉄筋入り木製パネル１、１、・・の先端を図２に示すように十字状に突き合わせることにより、各鉄筋入り木製パネル１の間隙７が上、下の位置に四角形に形成されると共に、４面が囲まれた角柱状の空所２０が形成される。そこで、下側連結金具９に予め螺着して立設状態にした締結支柱１２を空所２０に挿入し、下側連結金具９の各挿入片９Ｂを下側の各間隙７、７、・・に嵌合する。
【００２４】
次に、空所２０内に上方からコンクリート或はモルタルを充填した後、上側の間隙７、７、・・に上側連結金具１０の各挿入片１０Ｂを嵌合し、支柱挿通穴１Ｃに締結支柱１２の上側雄ねじ部１２Ｂを挿通し、ナット１３を締着する。これにより、４枚の鉄筋入り木製パネル１、１、・・は上、下の連結金具９、１０によって十字状の状態で強固に連結することができる。このようにして、各鉄筋入り木製パネル１は他端側も他の鉄筋入り木製パネル１の端と突き合わせて下側連結金具９、締結支柱１２及び上側連結金具１０により連結することにより、多数の枠体ａ、ａ、・・を格子状に組み立てることができる。
【００２５】
更に、枠体ａ、ａ、・・の上に複数枚の鉄筋入り木製パネル１、１、・・・を上記した手順と同様にして組み立てることにより枠体ａを形成するが、下側の鉄筋入り木製パネル１とこれに積重する上側の鉄筋入り木製パネル１を連結する場合は、図６に示す中間連結金具１１を上側連結金具１０に替えて用いる。中間連結金具１１は下側連結金具９と上側連結金具１０の両機能を備えており、下側の下側の鉄筋入り木製パネル１と上側の鉄筋入り木製パネル１を一体に連結することができる。そして、中間連結金具１１の支柱挿通穴１１Ｄに下方から挿入された締結支柱１２の上側雄ねじ部１２Ｂに内面に雌ねじ部を刻設してある中空の高ナット２１を螺合し、下側連結金具９と締結する。また、高ナット２１に上方から上側の締結支柱１２の下側雄ねじ部１２Ａを螺合することにより、上段の締結支柱１２を立設することができる。このようにして、鉄筋入り木製パネル１は所望の段数に積層することができる。
【００２６】
また、２枚の鉄筋入り木製パネル１、１を突き合わせて連結する場合は、開放した他の２面に覆い板１４、１４を当てがい、上記と同様に下側と上側から連結金具９、１０を嵌合することにより、２枚の鉄筋入り木製パネル１、１は確実に連結することができるし、コンクリートやモルタルを打設するための空所２０を形成でき、しかも連結管６、６等を覆うことができる。また、３枚の鉄筋入り木製パネル１、１、１を略Ｔ字状に連結する場合に形成される１の開放面も１枚の覆い板１４を用いることにより上記と同様にして組み立てることができる。
【００２７】
上述の如くして組み立てた枠体ａ内に、砕石、栗石、土砂等の中詰物Ｂを充填することにより外面が木製で、かつ強度性に優れた堤体Ａを容易に構築することができる。
【００２８】
なお、図１３乃至図１５は本実施の形態の変形例を示す。図１３は第１の変形例を示し、その特徴とするところは連結体として用いた鋼管からなる連結管６に替えて、平鋼板からなる連結板２２、２２、・・を連結体として用いたことにある。該各連結板２２は連結管６と同様に連結ロッド４により木材本体３と連結してある。この構成によれば、空所２０を広く確保することができるので、コンクリート又はモルタルの充填作業を容易に行うことができるし、コンクリート又はモルタルは流動し易いので充填時間を短縮することができる。
【００２９】
図１４は第２の変形例を示す。本変形例の特徴とするところは、平板部２３Ａと略Ｌ字状に屈曲した係止部２３Ｂとからなる横断面略Ｌ字状の鋼板製連結板２３、２３、・・を連結体として用いたことにある。この構成によれば、空所２０を広く確保できると共に、連結板２３の平板部２３Ａに隣接する他の連結板２３の係止部２３Ｂを係合させ、４枚の連結板２３、２３、・・を順次係合させてあるから、いずれかの鉄筋入り木製パネル１に掛る外力を他の鉄筋入り木製パネル１に分散させることができ、強度性を高めることができる。
【００３０】
更に、図１５は第３の変形例を示す。本変形例の特徴とするところは、鉄筋入り木製パネル１は一側に平鋼板からなる一側連結板２４を設け、他側に平鋼板からなる基板２５Ａと、該基板２５Ａの幅方向両端側から略Ｌ字状に屈曲し、前記一側連結板２４を拘持する一対の係止部２５Ｂ、２５Ｂとからなる略コ字状の他側連結板２５を設けた構成にしたことにある。この構成によれば、鉄筋入り木製パネル１の一側連結板２４に隣接する他の鉄筋入り木製パネル１の他側連結板２５を図１５に示すように係合させるから、空所２０を広く形成できる。また、複数枚の鉄筋入り木製パネル１、１、・・を互いに係合させた状態で枠体ａを構成することができるから、枠体ａの強度性を高めることができる。
【００３１】
次に、図１６乃至図１８は第２の実施の形態を示す。なお、前述した第１の実施の形態の構成要素と同一の構成要素には同一の符号を付して援用し、その説明を省略する。図において、３１は鉄筋入り木製パネルを示す。３２は該鉄筋入り木製パネル３１を構成する３本の鉄筋入り木材で、該各鉄筋入り木材３２は角柱からなり、両端の小口３３Ａの略中央に凹溝３３Ｂを形成し、長手方向にロッド挿装穴３３Ｃを穿設した木材本体３３と、該木材本体３３のロッド挿装穴３３Ｃに挿通した連結ロッド４とから構成してある。
【００３２】
３４、３４は３本の鉄筋入り木材３２、３２、３２の間に配列した２本の挟装木材で、該各挟装木材３４は前記木材本体３３と同形の角材からなり、両端の小口３４Ａ、３４Ａには略中央に凹溝３４Ｂ、３４Ｂが形成してある。
【００３３】
３５、３５は前記挟装木材３４、３４を３本の鉄筋入り木材３２に連結するための左右一対の係合板で、該各係合板３５は挟装木材３４及び鉄筋入り木材３２の凹溝３４Ｂ、３３Ｂに嵌合する横幅と板厚に形成した長方形の鋼板からなっており、長手方向に離間して３個のロッド通し穴３５Ａが穿設してある。
【００３４】
３６、３６は３本の鉄筋入り木材３２、３２、３２をパネル状の形態に保持するための一対の連結管で、該各連結管３６は一対の横板３６Ａ、３６Ａと縦板３６Ｂ、３６Ｂとから第１の実施の形態の連結管６と同形の横断面長方形で同じ長さの鋼管からなっている。そして、長手方向に離間して３個のロッド通し穴３６Ｃ、３６Ｃ、３６Ｃが穿設してあり、該各ロッド通し穴３６Ｃは一方の縦板３６Ｂが木材本体３３の外面に沿うように幅方向に変位させてある。
【００３５】
３７、３７は鉄筋入り木材３２及び挟装木材３４の端面と連結管３６との間の下側及び上側の位置に形成した間隙で、該間隙３７、３７は金属製の環体からなるスペーサー３８を係合板３５と連結管３６との間に位置して連結ロッド４に嵌合することにより形成してある。
【００３６】
本実施の形態の鉄筋入り木製パネル３１は上述の構成からなっており、凹溝３３Ｂ、３４Ｂとこれに嵌合する係合板３５、３５を用いることにより、鉄筋入り木材３３に鉄筋のない挟装木材３４を混用してパネル化することができる。
【００３７】
そして、複数枚の鉄筋入り木製パネル３１、３１、・・を枠体ａに組み立てる方法は第１の実施の形態と同じであって、下側連結金具９、上側連結金具１０を用いて連結し、下側連結金具９と上側連結金具１０を締結支柱１２で連結するものである。また、上下方向に積重して連結する場合は中間連結金具１１を用いる点も同様である。
【００３８】
なお、上述した実施の形態の変形例として、係合板３５の板厚を凹溝３３Ｂ、３４Ｂの深さよりも厚く設定し、かつ長さを短く設定した形状の鋼板製係合板兼スペーサーを用いることにより、鉄筋入り木製パネル２１の下側及び上側に間隙３７、３７を形成するようにしてもよい。
【００３９】
また、第１の実施の形態では挟装材８を用い、第２の実施の形態では環体からなるスペーサー３８を用いて間隙７、３７を夫々形成したが、これら部材に替えて連結管６（３６）の下端側及び上端側で、木材本体３（３３）の小口３Ａ（３３Ａ）に対向する部分を切り欠くことにより、間隙７（３７）を形成する構成にしてもよい。こうすることにより、挟装材８及びスペーサー３８を不要にすることができる。
【００４０】
【発明の効果】
本発明は以上詳述した如く構成したから、下記の諸効果を奏する。
（１）木材が腐朽しても連結ロッド、連結体、連結板が互いに連結して枠状に残存するから、強度性と耐久性に優れていると共に中積物の流出を抑制することができる。
（２）外面は木製であるので景観を損なうことがない。
（３）鉄筋入り木製パネルの幅方向両端側に上、下に位置して間隙を設け、連結具を間隙に嵌合するだけで複数枚の鉄筋入り木製パネルを前後、左右、或は上下方向に一体に連結する構成にしてあり、また鉄筋入り木製パネルは予め工場で製作しておくことができるから、従来技術の欠点であった多数のナット締め作業を大幅に、約８分の１に低減することができる結果、組み立て作業の能率を高めることができるし、厳寒期であっても組み立て作業の作業能率を維持できると共に作業員の負担も大幅に低減することができる。
（４）複数本の鉄筋入り木材に１本以上の木材を平板状に配列し、長手方向にロッド挿通穴を隔設した係合板を該木材及び鉄筋入り木材に一体に係止させる構成にしたから、該鉄筋入り木材及び木材をパネル状に一体化することができる。
（５）係合板は、鉄筋入り木材と連結体との間に間隙を形成するスペーサーを兼ねたものにしたから、構成部材を少なくすることができる。
（６）係合板は、複数本の鉄筋入り木材及び木材の各々の両端小口に形成した凹溝に嵌合することにより、木材は横方向からの力に対しても強度性を持たせた状態でこれら木材を確実に一体化することができる。
（７）連結体は金属製角筒に形成してあるから、強度性に優れているし、既存の角筒を利用することができる。
（８）連結する複数枚の鉄筋入り木製パネルの下端側と上端側に嵌合する連結具は締結支柱により連結したから、複数枚の鉄筋入り木製パネルを確実に挟持して連結することができる。
（９）連結具は両方向に挿嵌する構成にすることにより、積重する複数枚の鉄筋入り木製パネルも確実かつ強固に連結することができる。
（１０）複数枚の鉄筋入り木製パネルの先端を突き合わせて形成した空所内にコンクリート又はモルタルを充填して固化することにより、鉄筋コンクリート製パネルと同等の強度性を持った構造体にすることができる。
【図面の簡単な説明】
【図１】図１乃至図１５は本発明の第１の実施の形態に係り、鉄筋入り木製パネルを連結して構築した堤体の一部を示す外観斜視図である。
【図２】４枚の鉄筋入り木製パネルを連結する状態の説明図である。
【図３】鉄筋入り木製パネルの構成を示す要部分解斜視図である。
【図４】下側連結金具の斜視図である。
【図５】上側連結金具の斜視図である。
【図６】中間連結金具の斜視図である。
【図７】４枚の鉄筋入り木製パネルを先端を突き合わせた状態の部分斜視図である。
【図８】連結した４枚の鉄筋入り木製パネルの中央縦断面図である。
【図９】中間連結金具により鉄筋入り木製パネルを上下に連結した状態を示す縦断面図である。
【図１０】図８中のＸ−Ｘ矢示方向断面図である。
【図１１】覆い板の分解斜視図である。
【図１２】覆い板の平面図である。
【図１３】第１の変形例に係る連結板を設けた鉄筋入り木製パネルを突き合わせた状態の部分斜視図である。
【図１４】第２の変形例に係る連結板を設けた鉄筋入り木製パネルを突き合わせた状態の部分斜視図である。
【図１５】第３の変形例に係る連結板を設けた鉄筋入り木製パネルを突き合わせた状態の部分斜視図である。
【図１６】図１６乃至図１８は第２の実施の形態に係り、図１６は鉄筋入り木製パネルの要部分解斜視図である。
【図１７】連結した４枚の鉄筋入り木製パネルの中央縦断面図である。
【図１８】図１７中のＸＶＩＩＩ−ＸＶＩＩＩ矢示方向断面図である。
【符号の説明】
１  ３１        鉄筋入り木製パネル
２、３２        鉄筋入り木材
３  ３３        木材本体
３Ａ、３３Ａ    小口
４              連結ロッド
６、３６        連結管
７、３７        間隙
９              下側連結金具
１０            上側連結金具
１１            中間連結金具
１２            締結支柱
２０            空所
２３Ｂ、３４Ｂ  凹溝
２２、２３、２４、２５    連結板
３５            係合板
【図１】
2004360376.tif 000003
【図２】
2004360376.tif 000004
【図３】
2004360376.tif 000005
【図４】
2004360376.tif 000006
【図５】
2004360376.tif 000007
【図６】
2004360376.tif 000008
【図７】
2004360376.tif 000009
【図８】
2004360376.tif 000010
【図９】
2004360376.tif 000011
【図１０】
2004360376.tif 000012
【図１１】
2004360376.tif 000013
【図１２】
2004360376.tif 000014
【図１３】
2004360376.tif 000015
【図１４】
2004360376.tif 000016
【図１５】
2004360376.tif 000017
【図１６】
2004360376.tif 000018
【図１７】
2004360376.tif 000019
【図１８】
2004360376.tif 000020